(57)【特許請求の範囲】
【請求項１】
表示情報を表示する外部装置と前記表示情報を共有する表示装置であって、
表示部と、
前記表示部における前記表示情報の表示部分を変更する表示入力が行われる入力部と、
前記表示情報のうち前記表示入力に応じた第１表示部分を、前記表示部に表示する表示制御部と、
前記第１表示部分と同じ第２表示部分を前記外部装置が表示する同期モードと、前記第１表示部分に依存しない第３表示部分を前記外部装置が表示する非同期モードとを、択一的に設定するモード設定部と、
前記同期モードにおいて、前記第１表示部分を示す表示部分情報を、前記外部装置へと送信し、前記非同期モードにおいて、前記表示部分情報を送信しない情報送受信部と
を備え、
前記モード設定部は、前記同期モードおよび前記非同期モードのいずれか一方から他方に変更する入力を受付けた後に当該変更に同意しない旨を前記外部装置から受信すると当該変更を無効にする、表示装置。
【請求項２】
請求項１に記載の表示装置であって、
前記入力部は、前記表示情報の内容を加工する加工入力を受け付け、
前記情報送受信部は、前記表示情報の前記外部装置における第４表示部分を示す外部表示部分情報を、前記外部装置から受信し、
前記非同期モードにおいて、前記加工入力および前記表示入力の少なくともいずれか一方が行われた時点以後の第１所定期間内に、前記情報送受信部が前記外部表示部分情報を受信したときには、前記表示制御部は、前記第１所定期間の後に、前記第４表示部分を前記表示部に表示する、表示装置。
【請求項３】
請求項１に記載の表示装置であって、
前記情報送受信部は、前記表示情報の前記外部装置における第４表示部分についての外部表示部分情報を、前記外部装置から受信し、
前記表示制御部は、前記非同期モードにおいても、前記第４表示部分を前記表示部に表示する、表示装置。
【請求項４】
請求項１から請求項３のいずれか一つに記載の表示装置であって、
前記表示情報は第１レイヤと第２レイヤとを含み、
前記入力部は前記表示情報の内容を加工する加工入力を受け付け、
前記表示装置は、
前記第１レイヤを前記第２レイヤよりも前面に配置して、前記入力部による加工入力を前記第１レイヤに反映させる情報加工部を備え、
前記情報送受信部は前記外部装置から前記第２レイヤを受信し、
前記表示制御部は、前記第１レイヤおよび前記第２レイヤを重ね合せて前記表示情報を前記表示部に表示する、表示装置。
【請求項５】
請求項１から請求項４のいずれか一つに記載の表示装置であって、
前記外部装置はユーザの入力に応じて、追加内容を追加して前記表示情報を加工し、
前記表示制御部は、前記表示情報を前記表示部に表示し、前記追加内容を表示してから第２所定期間が経過したときに、前記追加内容を消去して前記表示情報を前記表示部に表示する、表示装置。
【請求項６】
請求項５に記載の表示装置であって、
前記入力部は前記第２所定期間を長くする入力を受け付け、
前記表示装置は、
前記入力のたびに前記第２所定期間を増大する期間設定部を更に備える、表示装置。
【請求項７】
請求項５または請求項６に記載の表示装置であって、
前記入力部は、前記追加内容を再表示する再表示入力を受け付け、
前記表示制御部は、前記再表示入力が入力されたときに、前記追加内容を前記表示部に表示する、表示装置。
【請求項８】
互いに通信して表示情報を表示する第１および第２の表示装置を備え、
前記第１の表示装置は、
第１表示部と、
同期モードと非同期モードとを択一的に設定するモード設定部と、
前記表示情報の少なくとも一部を前記第１表示部に表示する第１表示制御部と、
前記表示情報のうち前記第１表示部に表示された表示部分を変更する第１表示入力が入力される第１入力部と、
を備え、
前記第２の表示装置は、
第２表示部と、
前記表示情報の少なくとも一部を前記第２表示部に表示する第２表示制御部と、
前記表示情報のうち前記第２表示部に表示された表示部分を変更する第２表示入力が入力される第２入力部と、
を備え、
前記第１表示制御部および前記第２表示制御部は、前記同期モードにおいて、前記第１表示入力および前記第２表示入力の各々に応じて、前記表示情報のうち互いに同じ表示部分をそれぞれ前記第１表示部および前記第２表示部に表示し、
前記第２表示制御部は、前記非同期モードにおいて、前記表示情報のうち、前記第１表示入力には依らず前記第２表示入力に応じた表示部分を、前記第２表示部に表示し、
前記モード設定部は、前記同期モードおよび前記非同期モードのいずれか一方から他方に変更する入力を受付けた後に当該変更に同意しない旨を前記第２の表示装置から受信すると当該変更を無効にする、共有表示システム。
【発明の詳細な説明】
【技術分野】
【０００１】
本発明は、表示装置および共有表示システムに関する。
【背景技術】
【０００２】
ある情報を複数の表示装置で共有して表示する共有表示システムがある。ある情報としては、例えば画像などが挙げられる。またこのシステムにおいて、各表示装置は当該情報のうち互いに同じ表示部分を表示する。各ユーザが各表示装置を確認することで、ユーザは互いに離れた位置でも当該情報を確認することができる。
【０００３】
なお本発明に関連する技術として、特許文献１を提示する。
【先行技術文献】
【特許文献】
【０００４】
【特許文献１】特開２０１０−３９７０１号公報
【発明の概要】
【発明が解決しようとする課題】
【０００５】
例えば第１表示装置および第２表示装置を含む共有表示システムを考慮する。かかるシステムにおいて、例えば第１表示装置は、当該情報のうちユーザの入力に応じた表示部分を表示画面に表示させる。例えばユーザが拡大入力を行えば、第１表示装置は当該情報を拡大して表示する。また第１表示装置はこの表示部分の情報を第２表示装置へと送信し、第２表示装置でも第１表示装置と同じ表示画面を表示することが考えられる。これにより、各ユーザは同じ表示部分を確認することができる。
【０００６】
また当該情報を加工することが考えられる。例えばユーザが第１表示装置の表示画面を確認しながら、当該第１表示装置の入力部を操作して、当該情報を加工する。このとき第２表示装置でも、加工された情報が表示されることとなる。
【０００７】
しかしながら、ユーザが第１表示装置の表示画面を確認しながら情報を加工する場合に、第２表示装置において表示部分が変更されて、これが第１表示装置でも反映されることが考えられる。この場合、ユーザは意図しない表示部分が表示されるので、情報の加工を行いにくい。
【０００８】
そこで本発明は、情報を容易に加工できる表示装置を提供することを目的とする。
【課題を解決するための手段】
【０００９】
表示装置および共有表示システムが開示される。一実施の形態においては、表示装置は、表示情報を表示する外部装置と前記表示情報を共有する表示装置であって、表示部と、入力部と、表示制御部と、モード設定部と、情報送受信部とを備える。入力部には、表示部における表示情報の表示部分を変更する表示入力が行われる。表示制御部は表示情報のうち表示入力に応じた第１表示部分を、表示部に表示する。モード設定部は、第１表示部分と同じ第２表示部分を外部装置が表示する同期モードと、第１表示部分に依存した第３表示部分を外部装置が表示する非同期モードとを、択一的に設定する。情報送受信部は、同期モードにおいて、第１表示部分を示す表示部分情報を、外部装置へと送信し、非同期モードにおいて、表示部分情報を送信しない。モード設定部は、同期モードおよび非同期モードのいずれか一方から他方に変更する入力を受付けた後に当該変更に同意しない旨を外部装置から受信すると当該変更を無効にする。
【００１０】
一実施の形態においては、共有表示システムは、互いに通信して表示情報を表示する第１および第２の表示装置を備える。第１の表示装置は、第１表示部と、モード設定部と、第１表示制御部と、第１入力部とを備える。モード設定部は、同期モードと非同期モードとを択一的に設定する。第１表示制御部は、表示情報の少なくとも一部を第１表示部に表示する。第１入力部には、表示情報のうち第１表示部に表示された表示部分を変更する第１表示入力が入力される。第２の表示装置は、第２表示部と、第２表示制御部と、第２入力部とを備える。第２表示制御部は、表示情報の少なくとも一部を第２表示部に表示する。第２入力部には、表示情報のうち第２表示部に表示された表示部分を変更する第２表示入力が入力される。第１表示制御部および第２表示制御部は、同期モードにおいて、第１表示入力および第２表示入力の各々に応じて、表示情報のうち互いに同じ表示部分をそれぞれ第１表示部および第２表示部に表示する。第２表示制御部は、非同期モードにおいて、表示情報のうち、第１表示入力には依らず第２表示入力に応じた表示部分を、第２表示部に表示する。モード設定部は、同期モードおよび非同期モードのいずれか一方から他方に変更する入力を受付けた後に当該変更に同意しない旨を第２の表示装置から受信すると当該変更を無効にする。
【発明の効果】
【００１１】
本表示装置および共有表示システムによれば、表示情報を容易に加工できる。
【図面の簡単な説明】
【００１２】
【図１】共有表示システムの一例を概略的に示す図である。
【図２】共有表示システムの一例を概略的に示す図である。
【図３】表示装置の概観の一例を示す前面図である。
【図４】表示装置の概観の一例を示す裏面図である。
【図５】表示装置の電気的な構成の一例を概略的に示す図である。
【図６】制御部の構成の一例を概略的に示す図である。
【図７】表示部の表示画面の一例を概略的に示す図である。
【図８】共有表示情報の構成の一例を概略的に示す図である。
【図９】共有表示情報の構成の一例を概略的に示す図である。
【図１０】表示部の表示画面の一例を概略的に示す図である。
【図１１】表示部の表示画面の一例を概略的に示す図である。
【図１２】表示装置の動作の一例を示すフローチャートである。
【図１３】表示装置の動作の一例を示すフローチャートである。
【図１４】共有表示システムの動作の一例を示すフローチャートである。
【図１５】制御部の構成の一例を概略的に示す図である。
【図１６】表示部分を変更する表示入力が、各表示装置において反映されるか否かを示す図である。
【図１７】表示装置の動作の一例を示すフローチャートである。
【図１８】表示部分を変更する表示入力が、各表示装置において反映されるか否かを示す図である。
【図１９】表示制御部の動作の一例を示すフローチャートである。
【図２０】子の表示部の表示画面の遷移の一例を概略的に示す図である。
【図２１】制御部の構成の一例を概略的に示す図である。
【図２２】追加内容把握部の動作の一例を示すフローチャートである。
【図２３】情報加工部および表示制御部の動作の一例を示すフローチャートである。
【図２４】制御部の構成の一例を概略的に示す図である。
【図２５】期間設定部の動作の一例を示すフローチャートである。
【図２６】子の表示部の表示画面の遷移の一例を概略的に示す図である。
【発明を実施するための形態】
【００１３】
第１の実施の形態．
＜全体構成の概要＞
図１は共有表示システムの構成の一例を概略的に示す図である。共有表示システムは表示装置１００Ａ，１００Ｂを有している。表示装置１００Ａ，１００Ｂは互いに通信して、情報（以下、共有表示情報と呼ぶ）Ｄ１を共有する。表示装置１００Ａ，１００Ｂは表示部３０Ａ，３０Ｂをそれぞれ有しており、この表示部３０Ａ，３０Ｂには共有表示情報Ｄ１が表示される。よってユーザは互いに離れた位置でも同じ共有表示情報Ｄ１を確認することができる。共有表示情報Ｄ１は例えば文字、数字、記号、図形、絵および画像の少なくともいずれかを含む。
【００１４】
共有表示情報Ｄ１は各表示装置１００Ａ，１００Ｂにおいて記憶される。また表示装置１００Ａ，１００ＢはそれぞれユーザＵＡ，ＵＢの入力に応じて、共有表示情報Ｄ１の内容を加工することができる。そして、表示装置１００Ａ，１００Ｂは共有表示情報Ｄ１を互いに通信し合って、それぞれ相手が行った加工を自身の共有表示情報Ｄ１に反映させる。これにより、加工後の共有表示情報Ｄ１を共有することができる。表示部３０Ａ，３０Ｂには加工後の共有表示情報Ｄ１が表示される。
【００１５】
以上のように、ユーザＵＡ，ＵＢは互いに離れた位置で共有表示情報Ｄ１を加工しつつ、共有表示情報Ｄ１を確認できる。
【００１６】
なお、表示装置１００Ａ，１００Ｂは図１に例示するように、互いに直接に通信してもよい。直接的な通信としては、例えば近接無線通信を採用することができる。また図２に例示するように、他の装置２００を介して互いに通信してもよい。装置２００は、例えば基地局、中継装置、サーバ、またはアクセスポイントなどであってもよい。
【００１７】
また図２のように装置２００を経由して通信が行われる場合には、共有表示情報Ｄ１の原本データを装置２００に記憶し、この原本データを装置２００から各表示装置１００Ａ，１００Ｂへと送信することで、表示装置１００Ａ，１００Ｂが共有表示情報Ｄ１を共有してもよい。
【００１８】
以下では、説明を簡易にすべく、図１の態様で表示装置１００Ａ，１００Ｂを説明する。
【００１９】
また表示装置１００Ａ，１００Ｂは例えば互いに同じ構成を有していてもよい。以下では、特に説明がない限り、表示装置１００Ａ，１００Ｂが同じ構造を有している場合について説明するものの、これらの構成が相違してもよい。また以下では、表示装置１００Ａ，１００Ｂを区別する必要がない場合には、これらを纏めて表示装置１００とも呼ぶ。表示部３０Ａ，３０Ｂについても同様である。
【００２０】
＜表示装置＞
＜外観＞
図３は、表示装置１００の前面側から見た概観の一例を示している。図４は表示装置１００の概観の一例を示す裏面図である。この表示装置１００は、例えば、基地局及びサーバ等を通じて、或いは、直接に、他の表示装置１００と通信することが可能である。表示装置１００は例えばタブレット、ＰＤＡ(Personal Digital Assistant)、携帯電話機（スマートフォンを含む）、または、パーソナルコンピュータなどである。
【００２１】
図３および図４に示されるように、表示装置１００は、カバーパネル２とケース部分３を備えており、カバーパネル２とケース部分３とが組み合わされることによって、平面視で略長方形の板状を成す筐体（以下、機器ケースとも呼ぶ）４が構成されている。
【００２２】
カバーパネル２は、平面視において略長方形を成しており、表示装置１００の前面部分における、周縁部分以外の部分を構成している。カバーパネル２は、例えば、透明のガラスあるいは透明のアクリル樹脂で形成されている。あるいは、カバーパネル２は、例えばサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難くなるという点で、Ａｌ２Ｏ３純度は９９％以上であることが好ましい。カバーパネル２の材料としては他に、例えば、ダイヤモンド、ジルコニア、チタニア、水晶、タンタル酸リチウム、酸化窒化アルミニウムなどが挙げられる。これらも、傷がよりつき難くなるという点で、純度が約９０％以上の単結晶が好ましい。
【００２３】
カバーパネル２は、サファイアから成る層を含む複数層構造の複合パネル（積層パネル）であっても良い。例えば、カバーパネル２は、表示装置１００の表面に設けられたサファイアから成る層（サファイアパネル）と、当該層に貼り付けられたガラスから成る層（ガラスパネル）とで構成された２層構造の複合パネルであっても良い。また、カバーパネル２は、表示装置１００の表面に設けられたサファイアから成る層（サファイアパネル）と、当該層に貼り付けられたガラスから成る層（ガラスパネル）と、当該層に貼り付けられたサファイアから成る層（サファイアパネル）とで構成された３層構造の複合パネルであっても良い。また、カバーパネル２は、サファイア以外の結晶性材料、例えば、ダイヤモンド、ジルコニア、チタニア、水晶、タンタル酸リチウム、酸化窒化アルミニウムなどから成る層を含んでいても良い。
【００２４】
ケース部分３は、表示装置１００の前面部分の周縁部分、側面部分及び裏面部分を構成している。ケース部分３は、例えばポリカーボネート樹脂で形成されている。
【００２５】
カバーパネル２の前面には、文字、記号、図形または画像等の各種情報が表示される表示領域２ａが設けられている。この表示領域２ａは例えば平面視で長方形を成している。カバーパネル２における、表示領域２ａを取り囲む周縁部分２ｂは、例えばフィルム等が貼られることによって黒色となっており、情報が表示されない非表示部分となっている。カバーパネル２の裏面には後述するタッチパネル５０が貼り付けられており、ユーザは、表示装置１００の前面の表示領域２ａを指等で操作することによって、表示装置１００に対して各種指示を与えることができる。なお、ユーザは、指以外の操作子、例えば、スタイラスペンなどの静電式タッチパネル用ペンで表示領域２ａを操作することによっても、表示装置１００に対して各種指示を与えることができる。
【００２６】
機器ケース４内には、例えば操作キー５が設けられている。操作キー５は、例えばハードウェアキーであって、例えばカバーパネル２の前面の下側端部に設けられている。
【００２７】
タッチパネル５０および操作キー５は、表示装置１００への入力を行う入力部の一例である。後述する各種の入力はタッチパネル５０を用いて行われてもよく、操作キー５を用いて行われてもよい。以下では、代表的にタッチパネル５０を用いて説明する。
【００２８】
＜携帯電子機器の電気的構成＞
図５は表示装置１００の電気的構成を示すブロック図である。図５に例示される表示装置１００は、例えば携帯電話機であって、制御部１０、無線通信部２０、表示部３０、第１音声出力部（ここではレシーバ）４２、第２音声出力部（ここではスピーカ）４４、マイク４６、タッチパネル５０、キー操作部５２、および、撮像部６０を備えている。表示装置１００に設けられたこれらの構成要素は、機器ケース４に収められている。
【００２９】
制御部１０は、例えばＣＰＵ（Central Processing Unit）１０１、ＤＳＰ（Digital Signal Processor）１０２及び記憶部１０３等を備えており、表示装置１００の他の構成要素を制御することによって、表示装置１００の動作を統括的に管理する。記憶部１０３は、ＲＯＭ（Read Only Memory）及びＲＡＭ（Random Access Memory）等で構成されている。記憶部１０３には、表示装置１００の動作、具体的には表示装置１００が備える無線通信部２０、表示部３０等の各構成要素を制御するための制御プログラムであるメインプログラム及び複数のアプリケーションプログラム（以後、単に「アプリケーション」とも呼ぶ）等が記憶されている。制御部１０の各種機能は、ＣＰＵ１０１及びＤＳＰ１０２が記憶部１０３内の各種プログラムを実行することによって実現される。なお図５の例示では、ＣＰＵ１０１およびＤＳＰ１０２がそれぞれ一つ示されているものの、これらは複数設けられてもよい。そして、これらが互いに協働して各種機能を実現してもよい。また、図５の例示では、記憶部１０３は、制御部１０の内部において示されているものの、制御部１０の外部に設けられてもよい。換言すれば、記憶部１０３は制御部１０とは別体であってもよい。また、制御部１０の機能の一部または全部はハードウェアによって実現されても構わない。
【００３０】
無線通信部２０は、アンテナ２１を有している。無線通信部２０は、他の表示装置、あるいはインターネットに接続されたウェブサーバ等の通信装置からの信号を、基地局等を介してアンテナ２１で受信する。無線通信部２０は、受信信号に対して増幅処理及びダウンコンバートを行って制御部１０に出力する。制御部１０は、入力される受信信号に対して復調処理等を行う。また無線通信部２０は、制御部１０で生成された送信信号に対してアップコンバート及び増幅処理を行って、処理後の送信信号をアンテナ２１から無線送信する。アンテナ２１からの送信信号は、基地局等を通じて、他の表示装置あるいはインターネットに接続された通信装置で受信される。
【００３１】
表示部３０は、例えば、液晶表示パネルあるいは有機ＥＬパネルなどである。表示部３０は、制御部１０によって制御されることによって、文字、記号、図形または画像などの各種情報を表示する。表示部３０に表示される情報は、カバーパネル２の前面の表示領域２ａに表示される。したがって、表示部３０は、表示領域２ａに表示を行っていると言える。
【００３２】
タッチパネル５０は、カバーパネル２の表示領域２ａに対する操作指等の操作子による操作を検出する。タッチパネル５０は、例えば、投影型静電容量方式のタッチパネルであって、カバーパネル２の裏面に貼り付けられている。ユーザが操作指等の操作子によってカバーパネル２の表示領域２ａに対して操作を行うと、それに応じた信号がタッチパネル５０から制御部１０に入力される。制御部１０は、タッチパネル５０からの信号に基づいて、表示領域２ａに対して行われた操作の内容を特定して、その内容に応じた処理を行う。なお、タッチパネル５０は感圧式のタッチパネルであってもよい。
【００３３】
キー操作部５２は、各操作キー５に対するユーザの押下操作を検出する。キー操作部５２は、各操作キー５について、当該操作キー５が押下されているか否かを検出する。キー操作部５２は、操作キー５が押下されていない場合には、当該操作キー５が操作されていないことを示す未操作信号を制御部１０に出力する。また、キー操作部５２は、操作キー５が押下されると、当該操作キー５が操作されたことを示す操作信号を制御部１０に出力する。これにより、制御部１０は、各操作キー５について、当該操作キー５が操作されているか否かを判断することができる。
【００３４】
タッチパネル５０および操作キー５は、表示装置１００への入力部として機能する。なお以下で述べる、タッチパネル５０を用いた入力は、いずれも操作キー５に割り当てることが可能である。
【００３５】
レシーバ４２は、受話音を出力するものであって、例えばダイナミックスピーカで構成されている。レシーバ４２は、制御部１０からの電気的な音信号を音に変換して出力する。レシーバ４２から出力される音は、表示装置１００の前面に設けられたレシーバ穴８０ａから外部に出力される。レシーバ穴８０ａから出力される音の音量は、スピーカ４４からスピーカ穴３４ａを介して出力される音の音量よりも小さくなっている。
【００３６】
なおレシーバ４２に替えて、圧電振動素子が設けられてもよい。圧電振動素子は、制御部１０によって制御され、音声信号に基づいて振動する。圧電振動素子は例えばカバーパネル２の裏面に設けられており、音声信号に基づく自身の振動によってカバーパネル２を振動させる。これにより、カバーパネル２の振動が音声としてユーザの耳に伝達される。この場合、レシーバ穴８０ａは不要である。
【００３７】
スピーカ４４は、例えばダイナミックスピーカであって、制御部１０からの電気的な音信号を音に変換して出力する。スピーカ４４から出力される音は、表示装置１００の裏面に設けられたスピーカ穴３４ａから外部に出力される。スピーカ穴３４ａから出力される音が、表示装置１００から離れた場所でも聞こえるように、その音量が調整されている。すなわち、第２音声出力部（スピーカ）４４の音量は第１音声出力部（スピーカ４４あるいは圧電振動素子）の音量よりも大きい。
【００３８】
マイク４６は、表示装置１００の外部から入力される音を電気的な音信号に変換して制御部１０に出力する。表示装置１００の外部からの音は、カバーパネル２の前面に設けられたマイク穴から表示装置１００の内部に取り込まれてマイク４６に入力される。
【００３９】
撮像部６０は例えば第１撮像部６２と第２撮像部６４とを有している。第１撮像部６２は撮像レンズ６ａおよび撮像素子などで構成されており、制御部１０による制御に基づいて、静止画像および動画像を撮像する。図１に示されるように、撮像レンズ６ａは、表示装置１００の前面に設けられていることから、表示装置１００の前面側（カバーパネル２側）に存在する物体を撮像することが可能である。
【００４０】
第２撮像部６４は、撮像レンズ７ａおよび撮像素子などで構成されており、制御部１０による制御に基づいて、静止画像および動画像を撮像する。図３に示されるように、撮像レンズ７ａは、表示装置１００の裏面に設けられていることから、表示装置１００の裏面側に存在する物体を撮像することが可能である。
【００４１】
＜制御部＞
図６は、制御部１０の内部構成の一例を概略的に示す機能ブロック図である。制御部１０は、共有表示処理部１１０を有している。この共有表示処理部１１０は、例えば記憶部１０３に格納されたプログラムの実行によって実現されてもよく、或いは、その一部または全部がハードウェアで実現されてもよい。この点は、後に述べる他の機能部についても同様であるので、以下では繰り返しの説明を避ける。
【００４２】
共有表示処理部１１０は、モード設定部１２０と、情報加工部１３０と、情報送受信部１４０と、表示制御部１５０とを備えている。
【００４３】
以下では、表示装置１００Ａ，１００Ｂを区別する場合に、それぞれに属する各構成部の符号の末尾に、「Ａ」または「Ｂ」を付記する。例えばモード設定部１２０Ａは表示装置１００Ａのモード設定部１２０である。
【００４４】
モード設定部１２０は、ユーザの入力に基づいて、同期モードおよび非同期モードを択一的に設定できる。同期モードとは、後に詳述するように、共有表示情報Ｄ１のうち同じ表示部分を、表示装置１００Ａ，１００Ｂの表示部３０Ａ，３０Ｂに表示するモードである。
【００４５】
非同期モードとは、後に詳述するように、表示装置１００Ａ，１００Ｂの表示部３０Ａ，３０Ｂにおいて、共有表示情報Ｄ１のうち互いに独立した表示部分を表示するモードである。なおここでいう独立した表示部分とは、表示部３０Ａの表示部分に影響されずに、表示部３０Ｂが共有表示情報Ｄ１を表示し、表示部３０Ｂの表示部分に影響されずに、表示部３０Ａが共有表示情報Ｄ１を表示することを言う。例えば表示装置１００Ａにおいて、ユーザが共有表示情報Ｄ１を拡大して表示する表示入力を行うと、拡大された一部がその表示部３０Ａに表示される一方で、表示装置１００Ｂでは表示部３０Ｂの表示内容は上記入力によっては変更されない。これにより、後に詳述するように、表示部３０Ａ，３０Ｂでは互いに異なる表示部分が表示され得る。また、互いに独立した表示部分は、互いに依存しない表示部分という意味を含み、互いに依存しない表示部分には互いに独立した表示部分という意味を含む。
【００４６】
ユーザによる入力は例えばタッチパネル５０を用いて行われる。例えば共有表示処理部１１０（より具体的には表示制御部１５０）は、モードを設定するための設定用画面（不図示）を表示部３０に表示する。この設定用画面には、例えば同期モードおよび非同期モードを選択するためのボタンが表示される。ユーザはいずれかのボタンに対して操作を行う。このボタンへの操作はタッチパネル５０で検出されて、その情報がモード設定部１２０へと入力される。モード設定部１２０は当該情報に基づいてモードを設定する。
【００４７】
情報加工部１３０はユーザの入力に応じて共有表示情報Ｄ１の内容を加工できる。例えばユーザは、表示部３０に表示された共有表示情報Ｄ１に対して、文字、数字、記号、図形、絵および画像などの少なくともいずれかを追加、変更または削除するための加工入力を行う。かかる加工入力は例えばタッチパネル５０を用いて行ってもよい。言い換えればタッチパネル５０はこの加工入力を受け付けてもよい。情報加工部１３０はユーザによる加工入力に応じて、共有表示情報Ｄ１の内容を加工する。
【００４８】
図７は、共有表示情報Ｄ１を表示する表示画面の一例を概略的に示している。図７の例示では、リンゴの絵Ｐ１およびアドバイスＡ１が共有表示情報Ｄ１として表示されている。例えばアドバイスＡ１はリンゴの絵Ｐ１に対してどのような加工を施せば、より優れた絵に仕上がるかを示すアドバイスである。ここでは、リンゴの絵Ｐ１はユーザＵＢが表示装置１００Ｂを用いて描画した絵であり、アドバイスＡ１はユーザＵＡが表示装置１００Ａを用いて記入した文字である。
【００４９】
例えば共有表示情報Ｄ１は図８に示すように、第１レイヤＤ１Ａおよび第２レイヤＤ１Ｂによって形成されてもよい。共有表示情報Ｄ１は、この第１レイヤＤ１Ａおよび第２レイヤＤ１Ｂを透過的に重ね合せて得られる情報である。第１レイヤＤ１Ａは例えばユーザＵＡが専ら更新するレイヤであり、第２レイヤＤ１Ｂは例えばユーザＵＢが専ら更新するレイヤである。よって図８の例示では、第１レイヤＤ１ＡにアドバイスＡ１が表示されており、第２レイヤＤ１Ｂに絵Ｐ１が表示されている。
【００５０】
表示装置１００Ａにおいては、図８に示すように、第１レイヤＤ１Ａは第２レイヤＤ１Ｂよりも前面に配置されてもよい。そして、表示装置１００Ａの情報加工部１３０Ａは、前面に配置された第１レイヤＤ１Ａの内容に、ユーザＵＡの加工入力を反映させる。一方で表示装置１００Ｂにおいては、図９に示すように、第２レイヤＤ１Ｂを第１レイヤＤ１Ａよりも前面に配置してもよい。そして、表示装置１００Ｂの情報加工部１３０Ｂは、前面に配置された第２レイヤＤ１Ｂの内容に、ユーザＵＢの加工入力を反映させる。
【００５１】
つまり情報加工部１３０は、前面に配置されたレイヤに対してユーザの加工入力を反映させるところ、ユーザＵＡによって第１レイヤＤ１Ａを更新できるように、表示装置１００Ａにおいて第１レイヤＤ１Ａを前面に配置しているのである。表示装置１００Ｂにおいても同様である。
【００５２】
表示装置１００Ａの情報送受信部１４０Ａは、無線通信部２０Ａを介して、共有表示情報Ｄ１を表示装置１００Ｂへと送信できる。例えば情報送受信部１４０Ａは、所定時間ごとに、あるいは、ユーザＵＡが共有表示情報Ｄ１を加工するたびに、共有表示情報Ｄ１を送信する。なお情報送受信部１４０Ａは共有表示情報Ｄ１のうち第１レイヤＤ１Ａの内容を示す情報のみを送信してもよい。また、情報送受信部１４０Ａは、前回に送信した第１レイヤＤ１Ａの内容と現在の第１レイヤＤ１Ａとの差分を示す情報のみを送信してもよく、あるいは現在の第１レイヤＤ１Ａの内容の全ての情報を送信してもよい。
【００５３】
表示装置１００Ｂの情報送受信部１４０Ｂは、表示装置１００Ａから共有表示情報Ｄ１（より具体的には第１レイヤＤ１Ａの内容についての情報）を受信できる。表示装置１００Ｂの情報加工部１３０Ｂは、表示装置１００Ａによって加工された内容を確認し、これを自身の共有表示情報Ｄ１に反映せる。例えば受信した第１レイヤＤ１Ａを自身の共有表示情報Ｄ１の第１レイヤＤ１Ａに採用する。また、情報送受信部１４０Ｂが第１レイヤＤ１Ａについての上記差分を示す情報を受信した場合には、情報加工部１３０Ｂは、この差分を自身の共有情報Ｄ１の第１レイヤＤ１Ａに反映させる。
【００５４】
また表示装置１００Ｂの情報送受信部１４０Ｂは、無線通信部２０Ｂを介して、共有表示情報Ｄ１を表示装置１００Ａへと送信できる。例えば、情報送受信部１４０Ｂは、所定時間ごとに、あるいは、ユーザＵＢが共有表示情報Ｄ１を加工するたびに、共有表示情報Ｄ１を送信する。なお情報送受信部１４０Ｂは共有表示情報Ｄ１のうち第２レイヤＤ１Ｂの内容を示す情報のみを送信してもよい。また、情報送受信部１４０Ｂは、前回に送信した第２レイヤＤ１Ｂの内容と現在の第２レイヤＤ１Ｂとの差分を示す情報のみを送信してもよく、あるいは現在の第２レイヤＤ１Ｂの内容の全ての情報を送信してもよい。
【００５５】
また表示装置１００Ａの情報送受信部１４０Ａは無線通信部２０を介して、表示装置１００Ｂからの共有表示情報Ｄ１を受信できる。例えば第２レイヤＤ１Ｂの内容を示す情報のみを受信してもよい。表示装置１００Ａの情報加工部１３０Ａは、表示装置１００Ｂによって加工された内容を確認し、これを自身の共有表示情報Ｄ１に反映せる。例えば受信した第２レイヤＤ１Ｂを自身の共有表示情報Ｄ１の第２レイヤＤ１Ｂに採用する。また、情報送受信部１４０Ａが第２レイヤＤ１Ｂについての上記差分を示す情報を受信した場合には、情報加工部１３０Ａは、この差分を自身の共有情報Ｄ１の第２レイヤＤ１Ｂに反映させる。なお共有表示情報Ｄ１の送受信の情報対象については、以下で述べる共有表示装置Ｄ１の送受信にも適用可能であるので、以下では繰り返しの説明を避ける。
【００５６】
以上のように、各表示装置１００Ａ，１００Ｂが共有表示情報Ｄ１を送り合うことによって、互いに同じ共有表示情報Ｄ１を共有できる。つまり表示装置１００Ａにおける共有表示情報Ｄ１の内容についての加工が表示装置１００Ｂにおいても反映され、同様に、表示装置１００Ｂにおける共有表示情報Ｄ１の内容についての加工が表示装置１００Ａにおいても反映されることになる。
【００５７】
表示制御部１５０は表示部３０の表示を制御できる。表示制御部１５０は、情報加工部１３０から最新の共有表示情報Ｄ１を受け取り、共有表示情報Ｄ１の少なくとも一部を表示部３０に表示できる。
【００５８】
またユーザは、共有表示情報Ｄ１のうち表示部３０に表示される表示部分を変更する表示入力を行うことができる。言い換えれば、入力部（例えばタッチパネル５０）はこの表示入力を受け付ける。例えばユーザは、２本の操作指を表示部３０へと近づけた状態で、その操作指の間隔を広げる操作（いわゆるピンチアウト）により、共有表示情報Ｄ１の表示を拡大するための入力を行うことができる。また、ユーザは、２本の操作指を表示部３０へと近づけた状態で、その操作指の間隔を狭める操作（いわゆるピンチイン）により、共有表示情報Ｄ１の表示を縮小するための入力を行うことができる。
【００５９】
かかる拡大または縮小の表示入力はタッチパネル５０で検出されて表示制御部１５０へと入力される。表示制御部１５０は、当該表示入力に応じた表示部分を表示部３０に表示できる。つまり、表示入力に応じて共有表示情報Ｄ１を拡大または縮小して、これを表示部３０に表示する。
【００６０】
またユーザは、共有表示情報Ｄ１の表示部分を移動させる表示入力も行うことができる。例えばユーザは、１本の操作指を表示部３０へと近づけた状態で、その操作指を表示部３０に平行に移動させる操作（いわゆるスライド）により、共有表示情報Ｄ１の表示部分を移動させる表示入力を行うことができる。
【００６１】
かかる移動の表示入力もタッチパネル５０で検出されて表示制御部１５０へと入力される。表示制御部１５０は、当該表示入力に応じた表示部分を表示部３０に表示する。つまり、移動の表示入力に応じて共有表示情報Ｄ１の表示部分を移動させて、これを表示部３０に表示する。
【００６２】
情報送受信部１４０は、例えばモードに応じて、共有表示情報Ｄ１の表示部分を示す表示部分情報を送信してもよい。より具体的な一例として、同期モードにおいては、情報送受信部１４０は表示部分情報を送信できる。よって例えば同期モードにおいて、ユーザＵＡが拡大の表示入力を行った場合には、表示装置１００Ａは表示部分情報を表示装置１００Ｂへと送信する。表示装置１００Ｂの表示制御部１５０は、受信した表示部分情報が示す表示部分を表示部３０Ｂに表示する。これにより、ユーザＵＡが行った表示入力が表示装置１００Ｂにおいても反映される。
【００６３】
図１０は同期モードにおける表示部３０Ａ，３０Ｂの表示画面の一例を概略的に示している。図１０に例示するように、表示部３０Ａ，３０Ｂには、拡大された表示部分（絵Ｐ１の一部）が表示されている。
【００６４】
また情報送受信部１４０は、非同期モードにおいては、表示部分情報を送信しなくてもよい。例えば非同期モードにおいて、ユーザＵＡが拡大の表示入力を行った場合、表示装置１００Ｂは、そのユーザＵＡによる表示入力とは無関係に共有表示情報Ｄ１を表示部３０Ｂに表示する。つまり、ユーザＵＡが行った表示入力は表示装置１００Ａにおいて反映されるものの、表示装置１００Ｂにおいて反映されない。
【００６５】
図１１は非同期モードにおける表示部３０Ａ，３０Ｂの表示画面の一例を概略的に示している。図１１の例示では、表示部３０Ａには、拡大された表示部分（絵Ｐ１の一部）が表示される一方で、表示部３０Ｂには共有表示情報Ｄ１の全体が表示されている。
【００６６】
以上のように同期モードにおいては、表示装置１００Ａ，１００Ｂは共有表示情報Ｄ１のうち同じ表示部分を表示する。よって、例えばユーザＵＢが絵Ｐ１をどのような表示部分で描いているのかを、ユーザＵＡが表示部３０Ａで確認することができる。
【００６７】
しかも、非同期モードにおいては、表示装置１００Ａ，１００Ｂは互いに独立した表示部分で共有表示情報Ｄ１を表示する。よって、ユーザＵＡは、ユーザＵＢによる表示部分の変更に影響されずに、共有表示情報Ｄ１の内容を加工することができる。つまり、共有表示情報Ｄ１の加工に適した表示部分を表示部３０Ａに表示させながら、加工を行うことができる。同様に、ユーザＵＢは、ユーザＵＡによる表示部分の変更に影響されずに、共有表示情報Ｄ１の内容を加工することができる。これにより、各ユーザＵＡ，ＵＢは共有表示情報Ｄ１の内容を容易に加工することができる。
【００６８】
なお上述の例では、情報送受信部１４０は非同期モードにおいて表示部分情報を送信していないものの、表示部分情報を送信しても構わない。この場合、表示制御部１５０が、受信した表示部分情報に基づく表示を行わなければよい。要するに、表示装置１００Ａの表示制御部１５０Ａは、非同期モードにおいて、ユーザＵＢによる表示入力には依存せずに、ユーザＵＡによる表示入力に応じた表示部分を表示部３０に表示すればよい。同様に、表示装置１００Ｂの表示制御部１５０Ｂは、非同期モードにおいて、ユーザＵＡによる表示入力には依存せずに、ユーザＵＢによる表示入力に応じた表示部分を表示部３０に表示すればよい。
【００６９】
＜具体的な動作の一例＞
図１２および図１３は、表示装置１００Ａの動作の一例を示すフローチャートである。まずステップＳＴ１にて、表示装置１００Ａのモード設定部１２０Ａは、モードを変更する入力がユーザＵＡによって行われたか否かを判断する。当該変更入力が行われたと判断したときには、ステップＳＴ２にてモード設定部１２０Ａはモードを変更する。
【００７０】
表示装置１００Ａの情報送受信部１４０Ａは、設定したモードを表示装置１００Ｂへと送信してもよい。表示装置１００Ｂのモード設定部１２０Ｂは、受信したモードを設定する。これにより、表示装置１００Ａにて設定したモードが、表示装置１００Ｂでも反映される。
【００７１】
またモードはユーザＵＡ，ＵＢの両方の同意の元で設定されてもよい。例えば、モードを受信した表示装置１００Ｂの表示制御部１５０Ｂが、このモードに同意するかどうかを入力するボタンを、表示部３０Ｂに表示する。そして、ユーザＵＢがこれに同意する入力を行ったときに、表示装置１００Ｂのモード設定部１２０Ｂが、受信したモードを採用する。これにより、ユーザＵＡ，ＵＢの同意の元で、表示装置１００Ａ，１００Ｂにおいてモードが設定される。
【００７２】
一方で、ユーザＵＢがモードに同意しない旨の入力を行ったときには、表示装置１００Ｂの情報送受信部１４０Ｂは、例えばその旨を表示装置１００Ａに送信してもよい。表示装置１００Ａのモード設定部１２０Ａは、これに応じて、モードの変更を無効にする。これにより、ユーザＵＡ，ＵＢの少なくとも一方がモードの変更に同意しない場合には、現状のモードが維持されることになる。
【００７３】
次にステップＳＴ３にて、表示装置１００Ａの情報加工部１３０Ａは、ユーザＵＡによる共有表示情報Ｄ１の内容を加工するための加工入力が行われたか否かを判断する。加工入力が行われたと判断したときには、ステップＳＴ４にて、情報加工部１３０Ａは自身の共有表示情報Ｄ１（より具体的な一例としては第１レイヤＤ１Ａ）に対して、その加工入力を反映させて、共有表示情報Ｄ１（例えば第１レイヤＤ１Ａ）を更新する。
【００７４】
次にステップＳＴ５にて、表示装置１００Ａの情報送受信部１４０Ａは、共有表示情報Ｄ１（より具体的な一例としては第１レイヤＤ１Ａ）を表示装置１００Ｂへと送信する。表示装置１００Ｂでは、受信した第１レイヤＤ１Ａを採用して自身の共有表示情報Ｄ１を更新する。これにより、表示装置１００Ａで行われた加工が表示装置１００Ｂでも反映されることになる。
【００７５】
ステップＳＴ３にて加工入力が行われていないと判断したとき、または、ステップＳＴ５の次に、ステップＳＴ６を実行する。ステップＳＴ６においては、表示装置１００Ａの情報送受信部１４０Ａは、表示装置１００Ｂから共有表示情報Ｄ１（より具体的な一例としては第２レイヤＤ１Ｂ）を受信したか否かを判断する。これを受信したと判断したときには、ステップＳＴ７にて、情報加工部１３０Ａは、表示装置１００Ｂにおける共有表示情報Ｄ１の変更内容を、自身の共有表示情報Ｄ１に反映させる。例えば、受信した第２レイヤＤ１Ｂを採用して共有表示情報Ｄ１を更新する。
【００７６】
ステップＳＴ６にて共有表示情報Ｄ１（第２レイヤＤ１Ｂ）を受信していないと判断したとき、または、ステップＳＴ７の次に、ステップＳＴ８を実行する。ステップＳＴ８においては、表示装置１００Ａの表示制御部１５０Ａは、最新の共有表示情報Ｄ１を表示部３０Ａに表示する。
【００７７】
次に、ステップＳＴ９にて、表示制御部１５０Ａは、表示部分の拡大／縮小または移動についての表示入力が行われたか否かを判断する。表示入力が行われたと判断したときには、ステップＳＴ１０にて、表示制御部１５０Ａは共有表示情報Ｄ１のうち表示入力に応じた表示部分を表示部３０Ａに表示する。
【００７８】
次に、ステップＳＴ１１にて、表示装置１００Ａの情報送受信部１４０Ａは同期モードが設定されているか否かを判断する。同期モードが設定されていると判断したときには、ステップＳＴ１２にて、情報送受信部１４０Ａは、共有表示情報Ｄ１の表示部分についての表示部分情報を表示装置１００Ｂへと送信する。同期モードが設定されていないと判断したときには、即ち、非同期モードが設定されているときには、ステップＳＴ１３において、情報送受信部１４０Ａは表示部分情報を送信しない。
【００７９】
ステップＳＴ９にて、表示入力が行われていないと判断したとき、または、ステップＳＴ１２，ＳＴ１３の次に、ステップＳＴ１４を実行する。ステップＳＴ１４においては、表示制御部１５０は情報送受信部１４０が表示装置１００Ｂから表示部分情報を受信したかどうかを判断する。つまり、表示装置１００Ｂ側において、表示入力があったか否かを判断する。表示部分情報を受信したと判断したときには、ステップＳＴ１５にて、表示制御部１５０Ａは同期モードが設定されているか否かを判断する。ステップＳＴ１５にて同期モードが設定されていると判断したときには、ステップＳＴ１６にて、表示制御部１５０Ａは、受信した表示部分情報で示される表示部分を表示部３０Ａに表示する。
【００８０】
ステップＳＴ１４にて表示部分情報を受信していないと判断したとき、または、ステップＳＴ１５にて同期モードが設定されていない、つまり非同期モードが設定されていると判断したとき、または、ステップＳＴ５の次に、再びステップＳＴ１を実行する。
【００８１】
なお、非同期モードにおいて表示装置１００Ｂが表示部分情報を表示装置１００Ａへと送信しない場合、ステップＳＴ１５は必ずしも必要ではない。なぜなら、ステップＳＴ１４にて、表示装置１００Ｂから表示部分情報を受信した場合には、非同期モードが設定されていることになるからである。逆に、非同期モードにおいても表示装置１００Ｂが表示部分情報を表示装置１００Ａへと送信する場合には、ステップＳＴ１５は必須である。
【００８２】
図１４は、上述の動作に伴う、表示装置１００Ａ，１００Ｂの動作の一例を示すフローである。図１４の例示では、ステップＳＴ１０１にて、例えばユーザＵＡは表示装置１００Ａの入力部を操作して、非同期モードを設定する。この情報は表示装置１００Ｂへと送信されて、ステップＳＴ２０１にて、表示装置１００Ｂでも非同期モードが設定される。つまり、図１４の一例は非同期モードにおける動作を示している。
【００８３】
次にステップＳＴ１０２にて、ユーザＵＡは共有表示情報Ｄ１を加工するための加工入力を行う。表示装置１００Ａの情報加工部１３０Ａは例えば第１レイヤＤ１Ａに当該加工入力を反映させて、共有表示情報Ｄ１を更新する。次にステップＳＴ１０３にて、表示装置１００Ａの情報送受信部１４０Ａは第１レイヤＤ１Ａを表示装置１００Ｂへと送信する。
【００８４】
ステップＳＴ２０１にて、表示装置１００Ｂの情報送受信部１４０Ｂは第１レイヤＤ１Ａを表示装置１００Ａから受信し、情報加工部１３０Ｂは、受信した第１レイヤＤ１Ａを採用して共有表示情報Ｄ１を更新する。
【００８５】
次に、ステップＳＴ１０４，ＳＴ２０３にて、表示装置１００Ａ，１００Ｂの表示制御部１５０Ａ，１５０Ｂはそれぞれ最新の共有表示情報Ｄ１を表示部３０Ａ，３０Ｂに表示する。
【００８６】
次にステップＳＴ１０５にて、ユーザＵＡは共有表示情報Ｄ１を拡大して表示するための表示入力を行う。次にステップＳＴ１０６にて、表示装置１００Ａの表示制御部１５０ＡはユーザＵＡによる表示入力に応じた表示部分を表示部３０Ａに表示する。
【００８７】
一方で、この表示部分を示す表示部分情報は表示装置１００Ｂへと送信されないので、表示装置１００Ｂの表示部３０Ｂには、ユーザＵＡによる表示入力に依らない表示部分が表示されることとなる（例えば図１１参照）。
【００８８】
なお上述の例では、非同期モードにおいて、一方の表示装置１００で行った表示入力は他方の表示装置１００には反映されていない。この表示入力としては、拡大／縮小および移動が例示される。しかるに、例えば拡大／縮小の表示入力が表示装置１００に反映されない一方で、移動の表示入力は他方の表示装置１００に反映されてもよい。逆に、移動の表示入力が他方の表示装置１００に反映されない一方で、拡大／縮小の表示入力は他方の表示装置１００に反映されてもよい。
【００８９】
＜モードの表示＞
表示制御部１５０Ａ，１５０Ｂは現在のモードを表示してもよい。図１０，１１の例示では、モードＢ１が表示されている。図１０，１１の例示では、文字（例えば「同期」、「非同期」）によってモードを表示しているものの、記号、図形などで表示しても構わない。
【００９０】
以下、他の実施の形態について、主として第１の実施の形態との相違点を述べる。
【００９１】
第２の実施の形態．
図１５は、制御部１０の構成の一例を概略的に示す機能ブロック図である。制御部１０は親子設定部１６０を更に備えている。親子設定部１６０は、表示装置１００Ａ，１００Ｂの一方に「親」を、他方に「子」を設定する。
【００９２】
以下では、表示装置１００Ａが「親」に設定され、表示装置１００Ｂが「子」に設定されると仮定して説明する。
【００９３】
さて第１の実施の形態では、非同期モードにおいて、表示装置１００Ａ，１００Ｂは互いに独立した表示部分を表示した。しかしながら、第２の実施の形態では、非同期モードにおいて、「子」の表示装置１００Ｂは、「親」の表示装置１００Ａの表示部分とは独立した表示部分を表示するのに対して、「親」の表示装置１００Ｂは「子」の表示装置１００Ａの表示部分と同じ表示部分を表示する。つまり、「親」における表示部分の変更は「子」には反映されないのに対して、「子」における表示部分の変更は「親」に反映させるのである。
【００９４】
図１６は、非同期モードにおける拡大／縮小または移動の表示入力が、各表示装置１００Ａ，１００Ｂにおいて反映されるか否かを示している。図１６に示すように、ユーザＵＡが「親」の表示装置１００Ａにおいて表示入力を行うと、表示装置１００Ａにおいて、その表示入力が反映されるものの、「子」の表示装置１００Ｂにおいては、その表示入力が反映されない（図１１）。つまり、ユーザＵＡが「親」の表示装置１００Ａにおいて共有表示情報Ｄ１を例えば拡大して表示させても、「子」の表示装置１００Ｂにおいては、共有表示情報Ｄ１が拡大されないのである。
【００９５】
一方で、ユーザＵＢが「子」の表示装置１００Ｂにおいて表示入力を行うと、表示装置１００Ａ，１００Ｂのいずれにおいても、その表示入力が反映されるのである。つまり、ユーザＵＢが「子」の表示装置１００Ｂにおいて共有表示情報Ｄ１を例えば拡大して表示させると、「親」の表示装置１００Ａにおいても、共有表示情報Ｄ１が拡大して表示される（図１０）のである。
【００９６】
＜具体的な動作＞
図１７は「子」の表示装置１００Ｂにおける動作の一例を示すフローチャートである。図１７の例示では、図１２に比して、ステップＳＴ１１，ＳＴ１３を実行せずに、ステップＳＴ１０の後にステップＳＴ１２を実行する。つまり、「子」の情報送受信部１４０Ｂは、表示入力があったときには、モードに依らずに表示部分情報を表示装置１００Ａへと送信するのである。
【００９７】
一方で、「親」の表示装置１００Ａでは、第１の実施の形態で述べたように、表示装置１００Ｂから表示部分情報を受信したときには、この受信した表示部分情報で示される表示部分を表示部３０Ａに表示する（ステップＳＴ１４，ＳＴ１５）。これにより、非同期モードにおいても、「子」のユーザＵＢが行った表示入力を「親」の表示装置１００Ａで反映させることができる。
【００９８】
以上のように、非同期モードにおいて、ユーザＵＡによる表示部分の変更は表示装置１００Ｂには反映されない。よって、ユーザＵＢによる共有表示情報Ｄ１の加工を邪魔しない。したがって、ユーザＵＢは例えば絵Ｐ１を描画しやすい。
【００９９】
しかも、非同期モードにおいて、ユーザＵＢによる表示部分の変更は、表示装置１００Ａに反映される。よって、ユーザＵＡは、ユーザＵＢがどのような表示部分を表示させながら、どのような手順で共有表示情報Ｄ１を加工しているのかを、表示部３０Ａで確認することができる。したがって、ユーザＵＡはユーザＵＢの加工に対してのアドバイスを想起しやすい。
【０１００】
＜表示入力の反映タイミング＞
ユーザＵＡが非同期モードにおいて共有表示情報Ｄ１の加工を行っている状態で、ユーザＵＢによる表示部分の変更が表示装置１００Ａに反映されると、ユーザＵＡは加工を行いにくい。そこで、この状態では、表示部分の変更の表示装置１００Ａへの反映を所定期間に亘って中断してもよい。
【０１０１】
図１８は、非同期モードにおける拡大／縮小または移動の表示入力が、各表示装置１００Ａ，１００Ｂにおいて反映されるか否かを示している。表示装置１００Ａへの反映以外の動作は図１６と同じである。図１８の下段に示すように、ユーザＵＢが表示装置１００Ｂにおいて表示入力を行う場合、その表示入力を表示装置１００Ａに反映させるか否かは、ユーザＵＡによる加工入力または表示入力に基づいて、決定される。
【０１０２】
具体的には、ユーザＵＡによる加工入力または表示入力が行われた時点以後の所定期間では、ユーザＵＢによる表示入力を表示装置１００Ａにおいて反映させない。更に具体的な動作としては、例えば情報送受信部１４０Ａがこの所定期間内に表示装置１００Ｂから表示部分情報を受信したときに、表示制御部１５０Ａはこの所定期間ではこの表示部分情報を用いない。
【０１０３】
これにより、ユーザＵＡは、自身の加工に適した表示部分を表示部３０Ａに表示させながら、共有表示情報Ｄ１を加工することができる。一方で、ユーザＵＡによる加工が終了したときには、ユーザＵＡは表示装置１００Ｂにおける表示部分を速やかに確認したい。ユーザＵＢがどの表示部分を表示して共有表示情報Ｄ１を加工しているのかを確認するためである。
【０１０４】
そこで、所定期間の後には、ユーザＵＢによる表示部分の変更を表示装置１００Ａに反映させる。より具体的には、表示制御部１５０Ａは所定期間の後に、受信した表示部分情報が示す表示部分を表示部３０Ａに表示する。これにより、ユーザＵＡが加工を終えた後には、ユーザＵＢによる表示入力が表示装置１００Ａでも反映される。この所定期間は例えば予め設定される。
【０１０５】
また所定期間の後に、つまりユーザＵＡによる入力が終わった後に、ユーザＵＢによる表示入力が行われた場合には、表示装置１００Ａにおいても、ユーザＵＢによる表示入力を反映させる。つまり、表示制御部１５０Ａは、表示装置１００Ｂから受信した表示部分情報によって示される表示部分を、表示部３０Ａに表示する。
【０１０６】
以上のように、ユーザＵＡによる加工入力または表示入力が行われた時点以後の所定期間において、ユーザＵＢによる表示入力を反映しないので、ユーザＵＡは共有表示情報Ｄ１を加工しやすい。しかも所定期間の後には、ユーザＵＢによる表示入力が反映されるので、ユーザＵＡは再びユーザＵＢがどのような表示部分で共有表示情報Ｄ１を加工しているのかを確認することができる。
【０１０７】
＜具体的な動作の一例＞
図１９は、表示装置１００Ａの動作の一例を概略的に示すフローチャートである。図１９の例示では、非同期モードにおいて表示部分情報を受信するときの、表示装置１００Ａの動作が示されている。ステップＳＴ１４０にて、表示装置１００Ａの情報送受信部１４０Ａは表示部分情報を受信したかどうかを判断する。表示部分情報を受信したと判断したときには、ステップＳＴ１４１にて、表示制御部１５０Ａは、ユーザＵＡによる最後の加工入力または表示入力が行われた時点から所定期間が経過しているか否かを判断する。このような所定期間の計時は例えばタイマ回路を用いて行うことができる。
【０１０８】
ステップＳＴ１４１にて、所定期間が経過していると判断したときには、ステップＳＴ１４２にて、表示制御部１５０Ａは、表示装置１００Ｂから受信した表示部分情報によって示される表示部分を、表示部３０Ａに表示する。これにより、ユーザＵＡが加工入力または表示入力を終了したときに、ユーザＵＢによる表示入力が反映される。
【０１０９】
ステップＳＴ１４１にて所定期間が経過していないと判断したときには、ステップＳＴ１４２を行うことなく、再びステップＳＴ１４１を実行する。これにより、ユーザＵＡが加工入力または表示入力を行っているとき、あるいは、その後の所定期間には、ユーザＵＢによる表示入力は表示装置１００Ａには反映されない。
【０１１０】
なお、ステップＳＴ１４１にて所定期間が経過していないと判断して、ステップＳＴ１４１を繰り返し実行するときにも、この表示装置１００Ａでは、加工入力または表示入力が行われ、これに応じた処理が行われてもよい。例えば加工入力が行われると、情報加工部１３０Ａが共有表示情報Ｄ１を加工し、情報送受信部１４０Ａが共有表示情報Ｄ１を表示装置１００Ｂへと送信する。また例えばユーザＵＡによる表示入力が行われると、表示制御部１５０Ａは表示入力に応じた表示部分を表示部３０Ａに表示する。
【０１１１】
＜モードの表示＞
表示制御部１５０Ａ，１５０Ｂは第１の実施の形態と同様に、現在のモードを表示してもよい。また第２の実施の形態では、「親」の表示部３０Ａには、同期モードおよび非同期モードの区別によらず、「子」の表示部３０Ｂに表示された表示部分と同じ表示部分が表示される。よって、表示制御部１５０Ａはモードを表示しなくても構わない。
【０１１２】
第３の実施の形態．
第３の実施の形態でも、第２の実施の形態と同様に「親」および「子」が設定される。ただし、第３の実施の形態は第２の実施の形態を前提とするものではなく、第２の実施の形態と独立して実施されてもよい。第３の実施の形態は、非同期モードにおける動作という点で第１の実施の形態と相違する。第３の実施の形態では、非同期モードにおいて、「親」の表示装置１００における共有表示情報Ｄ１への追加内容は、「子」の表示装置１００においては所定期間Ｔ１のみ反映され、所定期間Ｔ１の経過後には当該追加内容は消去される。以下に概要を述べる。
【０１１３】
例えば表示装置１００Ａが「親」に設定され、表示装置１００Ｂが「子」に設定されると仮定する。例えば、ユーザＵＡが追加内容としてアドバイスＡ１を共有表示情報Ｄ１に書き込むべく、表示装置１００Ａの入力部（タッチパネル５０）を操作する。表示装置１００Ａは上述した動作を経て、共有表示情報Ｄ１を加工する。これにより、表示部３０Ａに当該アドバイスＡ１が表示される。この共有表示情報Ｄ１（より具体的には第１レイヤＤ１Ａ）は表示装置１００Ｂにも送信されて、表示装置１００Ｂの表示部３０ＢにもアドバイスＡ１が表示される。よって、ユーザＵＢはユーザＵＡが書き込んだアドバイスＡ１を表示部３０Ｂで知ることができる。
【０１１４】
しかるに、表示装置１００Ｂの表示制御部１５０Ｂは、図２０に例示するように、この追加内容（例えばアドバイスＡ１）を表示してから所定期間Ｔ１が経過したときに、当該アドバイスＡ１を消去して共有表示情報Ｄ１を表示部３０Ｂに表示する。言い換えれば、所定期間Ｔ１の経過に伴って、ユーザＵＡによる共有表示情報Ｄ１の追加内容を無効にする。
【０１１５】
これにより、所定期間Ｔ１の経過後には、ユーザＵＢが描いている絵Ｐ１を含む第２レイヤＤ１Ｂのみが共有表示情報Ｄ１に含まれることになる。これによれば、ユーザＵＢが自身の作品を仕上げる際に、ユーザＵＡが入力した追加内容を別途に消去する必要がない。したがって、ユーザＵＢにとって利便性が高い。
【０１１６】
＜制御部＞
図２１は、制御部１０の構成の一例を概略的に示す機能ブロック図である。制御部１０は追加内容把握部１８０を更に備えている。追加内容把握部１８０は一連の加工入力に基づいて追加内容を把握する。つまり、追加内容把握部１８０は一連の加工入力のうち、どの加工入力からどの加工入力までが追加内容を示すのか、を判断する。
【０１１７】
＜追加内容把握動作＞
図２２は、追加内容把握部１８０の動作の一例を概略的に示す図である。まずステップＳＴ１００にて、ユーザＵＡが加工入力を行う。例えば、ユーザＵＡは共有表示情報Ｄ１に対して図形データ（例えばドットデータ）で文字を描く。
【０１１８】
次にステップＳＴ１０１にて、追加内容把握部１８０は、ステップＳＴ１００の加工入力を、一つの追加内容（以下、ブロックとも呼ぶ）の始まりとして把握する。次にステップＳＴ１０２にて、加工入力が未入力である一定期間Ｔ２が経過したかどうかを判断する。一定期間Ｔ２は例えば所定期間Ｔ１に比べて短い期間である。一定期間Ｔ２が経過していないと判断すると、つまり、一定期間Ｔ２内に加工入力が行われると、再びステップＳＴ１０２を実行する。一定期間Ｔ２が経過したと判断すると、追加内容把握部１８０は、ステップＳＴ１００の加工入力から最後の加工入力までをブロックとして保存する。つまり、一定期間Ｔ２に亘って加工入力が行われていない場合には、追加内容の入力が終了したと判断して、それまでの加工入力を一つの追加内容として把握しているのである。
【０１１９】
以上の動作により、例えば図２０のアドバイスＡ１が一つの追加内容（ブロック）として把握される。追加内容は例えば画像として保存されてもよいし、あるいはテキストデータまたは図形データとして保存されてもよい。また、共有表示情報Ｄ１の表示内容に対する追加内容の位置などの情報も保存されてもよい。
【０１２０】
この追加内容を示す追加内容情報は、共有表示情報Ｄ１とともに、「親」の表示装置１００Ａから「子」の表示装置１００Ｂへと送信されてもよい。或いは、「子」の表示装置１００Ｂも追加内容把握部１８０を備え、表示装置１００Ａから受信する第１レイヤＤ１Ａに基づいて、追加内容情報を生成してもよい。
【０１２１】
＜追加内容の表示と消去の具体的な動作の一例＞
図２３は、「子」の表示装置１００Ｂの動作の一例を概略的に示す図である。図２３は、ユーザＵＡが非同期モードにおいて表示装置１００Ａを操作して、共有表示情報Ｄ１に追加内容を追加したときの「子」の表示装置１００Ｂの動作を例示している。この図２３の動作は例えば繰り返し実行される。
【０１２２】
まずステップＳＴ６０にて、表示装置１００Ｂの情報送受信部１４０Ｂは、表示装置１００Ａから共有表示情報Ｄ１（例えば第１レイヤＤ１Ａ）を受信したかどうかを判断する。共有表示情報Ｄ１を受信したと判断したときには、ステップＳＴ６１にて、表示装置１００Ｂの情報加工部１３０Ｂは、受信した共有表示情報Ｄ１のうち表示装置１００Ａで加工された情報（第１レイヤＤ１Ａ）を採用して、自身の共有表示情報Ｄ１を更新する。
【０１２３】
ステップＳＴ６０にて共有表示情報Ｄ１を受信していないと判断したとき、または、ステップＳＴ６１の次に、ステップＳＴ６２を実行する。ステップＳＴ６２においては、表示装置１００Ｂの表示制御部１５０Ｂは最新の共有表示情報Ｄ１を表示部３０Ｂに表示する。これにより、ユーザＵＡによって追加された追加内容が表示部３０Ｂにも表示される。
【０１２４】
次にステップＳＴ６３にて、第１レイヤＤ１Ａに追加内容が追加されてから所定期間Ｔ１が経過したかどうかを判断する。
【０１２５】
なお、この追加内容を示す追加内容情報は上述のように、共有表示情報Ｄ１とともに、表示装置１００Ａから送信されてもよく、あるいは、表示装置１００Ｂが生成してもよい。また追加内容が追加されたタイミングは、ステップＳＴ１０３が実行されたタイミングと把握してもよい。この場合、ステップＳＴ６３では当該タイミングからの経過時間を計時する。あるいは、追加内容情報が表示装置１００Ａから送信される場合には、追加内容情報を受信したタイミングを、追加内容が追加されたタイミングと把握してもよい。
【０１２６】
ステップＳＴ６３にて、所定期間Ｔ１が経過していないと判断したときには、再びステップＳＴ６０を実行し、所定期間Ｔ１が経過したと判断したときには、ステップＳＴ６４にて、表示装置１００Ｂの情報加工部１３０Ｂは共有表示情報Ｄ１から追加内容を削除する。例えば第１レイヤＤ１Ａから追加内容を削除する。これにより、表示制御部１５０は、追加内容が消去された共有表示情報Ｄ１を表示部３０Ｂに表示することとなる。
【０１２７】
＜所定期間Ｔ１＞
所定期間Ｔ１は例えば予め設定されていてもよいし、次で説明するように、動的に変化させてもよい。図２４は制御部１０の一例を概略的に示す機能ブロック図である。図２４の例示では、制御部１０は期間設定部１７０を更に備えている。この期間設定部１７０はユーザの入力に応じて所定期間Ｔ１を増大させる。この入力もタッチパネル５０を用いて行うことができる。言い換えれば、タッチパネル５０は、所定期間Ｔ１を長くする入力を受け付ける。例えば表示制御部１５０は所定期間Ｔ１を増大させるためのボタン（不図示）を表示部３０に表示する。そして、ユーザが当該ボタンに対して操作すると、その情報がタッチパネル５０で検出されて、期間設定部１７０へと入力される。期間設定部１７０は、当該ボタンが操作されるたびに、所定期間Ｔ１を増大させる。１回あたりの増大量は例えば予め設定されてもよい。
【０１２８】
例えばユーザＵＢがユーザＵＡによる追加内容を未だ消去したくない場合に、ユーザＵＢが表示部３０Ｂにおいて当該ボタンを操作する。これにより、追加内容が消去されるタイミングを遅らせることができる。したがって、ユーザＵＢは例えばアドバイスＡ１をより長い期間に亘って確認できる。
【０１２９】
＜具体的な動作の一例＞
図２５は期間設定部１７０の動作の一例を示すフローチャートである。この図２５の動作は繰り返し実行される。ここでは、「子」の期間設定部１７０Ｂの動作が例示されている。
【０１３０】
ステップＳＴ６３０にて、期間設定部１７０Ｂは、所定期間Ｔ１を増大するための入力が行われたか否かを判断する。当該入力が行われていないと判断した場合には、動作を終了する。当該入力が行われたと判断した場合には、ステップＳＴ６３１にて、期間設定部１７０Ｂは所定期間Ｔ１を増大させる。例えば予め定められた増大量を加算して所定期間Ｔ１を増大させる。これにより、より長い期間に亘って追加内容を共有表示情報Ｄ１に含ませることができる。ひいては、より長い期間に亘って追加内容を表示部３０Ｂに表示できる。
【０１３１】
なお、ユーザＵＡが表示部３０Ｂにおける所定期間Ｔ１を増大させてもよい。例えばユーザＵＡが表示装置１００Ａにおいて所定期間Ｔ１を増大させる入力を行うと、情報送受信部１４０Ａが期間増大指示を表示装置１００Ｂへと送信する。そして、当該期間増大指示を受信した表示装置１００Ｂの期間設定部１７０Ｂは、所定期間Ｔ１を増大させる。
【０１３２】
＜親の表示＞
「親」に設定された表示装置１００Ａでも、ユーザＵＡによって追加される追加内容が、所定期間Ｔ１の経過に伴って消去されてもよい。この場合、共有表示情報Ｄ１は表示装置１００Ａ，１００Ｂにおいて互いに同じとなる。
【０１３３】
あるいは、「親」の表示装置１００Ａにおいては、所定期間Ｔ１の経過をトリガとしては追加内容を消去しなくてもよい。つまり、ユーザＵＡによる追加内容は、表示装置１００Ａにおいて維持されてもよい。これにより、ユーザＵＡは自身が書き込んだ追加内容を容易に確認することができる。
【０１３４】
この場合、表示装置１００Ａにおける共有表示情報Ｄ１と、表示装置１００Ｂにおける共有表示情報Ｄ１とは、互いに相違し得る。よってこの場合、共有表示情報Ｄ１は「共有」の本来的な意味、即ち、同じものを複数で有するという意味を有さない。ただし、この場合であっても、第２レイヤＤ１Ｂは表示装置１００Ａ，１００Ｂにおいて共有される。
【０１３５】
以下では、共有表示情報Ｄ１という表記を続けるものの、上述のように、第１レイヤＤ１Ａは表示装置１００Ａ，１００Ｂにおいて互いに相違することがある。
【０１３６】
このような第１レイヤＤ１Ａの相違は次の事態を招き得る。即ち、追加内容を含んだ第１レイヤＤ１Ａを表示装置１００Ａが表示装置１００Ｂに送信し、表示装置１００Ｂがこの第１レイヤＤ１Ａを採用すると、表示部３０Ｂにおいて再び追加内容が表示される。
【０１３７】
かかる事態を回避すべく、「子」の表示装置１００Ｂにおいて、消去した追加内容を記憶部（例えば記憶部１０３）に記憶しておくとよい。そして、情報加工部１３０Ｂは、受信した第１レイヤＤ１Ａに、消去すべき追加内容が含まれているか否かを判断する。そして、追加内容が含まれていると判断したときに、表示装置１００Ｂの情報加工部１３０Ｂは、受信した第１レイヤＤ１Ａから当該追加内容を消去した上で、自身の共有表示情報Ｄ１を更新する。これにより、所定期間の経過により消去した追加内容が、意図せず再び表示されることを防止できるのである。
【０１３８】
＜追加内容の再表示＞
「子」の表示装置１００Ｂにおいて、消去した追加内容をユーザＵＢの入力に応じて再表示してもよい。
【０１３９】
例えば「子」の表示装置１００Ｂの情報加工部１３０Ｂは、ユーザＵＢの入力に応じて、消去済みの追加内容を記憶部（例えば記憶部１０３）から読み出し、これを第１レイヤＤ１Ａに追加して、自身の共有表示情報Ｄ１を更新する。この入力は例えばタッチパネル５０を用いて行われる。言い換えれば、タッチパネル５０は、追加内容を再表示する再表示入力を受け付ける。
【０１４０】
情報加工部１３０Ｂは、この再表示入力に応答して、消去済みの追加内容を第１レイヤＤ１Ａにおいて、例えば消去前の位置に配置する。そして表示制御部１５０Ｂは最新の共有表示情報Ｄ１を表示部３０Ｂに表示する。
【０１４１】
図２６は表示部３０Ｂの表示画面の一例を概略的に示す図である。図２６の例示では、表示部３０ＢにはボタンＢＴ１が表示されている。このボタンＢＴ１は、消去済みの追加内容を再表示するためのボタンである。図２６の例示では、追加内容としてアドバイスＡ１〜Ａ５が例示され、左側の表示部３０ＢではアドバイスＡ１〜Ａ５が消去されて、共有表示情報Ｄ１が表示されている。
【０１４２】
そしてユーザＵＢが当該ボタンＢＴ１を操作すると、その操作はタッチパネル５０Ｂで検出されて、その情報が情報加工部１３０Ｂに入力される。情報加工部１３０Ｂは当該操作に応答して、第１レイヤＤ１Ａにおける過去の追加内容を記憶部から読み出し、再び第１レイヤＤ１Ａに反映させて、自身の共有表示情報Ｄ１を更新する。そして表示制御部１５０が最新の共有表示情報Ｄ１を表示部３０Ｂに表示する。図２６において右側の表示部３０Ｂに示す通り、過去に追加されたアドバイスＡ１〜Ａ５が再び表示される。
【０１４３】
これによれば、ユーザＵＢはユーザＵＡが過去に追加した内容（アドバイスＡ１〜Ａ５）を、後から確認することができる。これにより、ユーザの利便性を向上することができる。
【０１４４】
なお情報加工部１３０Ｂは、追加内容を消去前の位置に追加してもよく、あるいは、予め設定された領域に一覧で表示してもよい。
【０１４５】
また情報加工部１３０Ｂは再表示した追加内容を、その再表示から所定期間Ｔ１が経過したときに、共有表示情報Ｄ１から再び削除してもよい。
【０１４６】
また「親」の表示装置１００Ａにおいて、所定期間Ｔ１の経過に伴って追加内容を消去する場合には、同様に、その追加内容を記憶部（例えば記憶部１０３）に記憶し、ユーザＵＡの入力に応じて、再表示しても構わない。
【０１４７】
また上述の例では、「子」の表示装置１００Ｂにおいて、所定期間Ｔ１の経過を条件として、「親」の表示装置１００Ａにおける追加内容を消去した。しかるに、「親」の表示装置１００Ｂにおいて、所定期間Ｔ１の経過を条件として、「子」の表示装置１００Ａにおける追加内容を消去してもよい。あるいは、その両方が行われても構わない。
【０１４８】
また上述の例では、「子」の表示装置１００Ｂの情報加工部１３０Ｂは、「親」の表示装置１００Ａによる追加内容を第１レイヤＤ１Ａに反映させる。ところで、ユーザＵＢの加工入力を反映させる第２レイヤＤ１Ｂ内の情報は、所定期間Ｔ１の経過によって消去されない。そこで、追加内容を消去したくない場合には、情報加工部１３０Ｂは、ユーザＵＢの入力に応じて、第１レイヤＤ１Ａにおける追加内容（追加内容情報）を、第２レイヤＤ１Ｂに反映させても構わない。これにより、追加内容を消去から回避できる。
【０１４９】
このような入力は、例えば表示制御部１５０が専用のボタンを表示部３０Ｂに表示し、そのボタンへの操作によって行うことができる。
【０１５０】
また第１から第３の実施の形態では、第１レイヤＤ１Ａおよび第２レイヤＤ１Ｂを用いて共有表示情報Ｄ１を説明した。しかるに、例えば３以上のレイヤを含んでいてもよい。また２つの表示装置について説明したが、３以上の表示装置を採用してもよい。この場合、例えば３つの表示装置に対応する３つのレイヤを含む共有表示情報Ｄ１を採用してもよい。この３つのレイヤは互いに重ね合わされて一つの共有表示情報Ｄ１を形成してもよい。これによれば、三人のユーザが一つの共有表示情報Ｄ１を変更できる。また、２つの第１及び第２のレイヤが同じ層で並んで配置され、残り一つの第３のレイヤがこの２つのレイヤを覆うように配置されてもよい。この場合、第１及び第２のレイヤにそれぞれ対応する２画面を形成する。第３のレイヤは、これら２画面の両方に対して書き込みを行うためのレイヤである。
【０１５１】
以上のように、表示装置は詳細に説明されたが、上記した説明は、すべての局面において、例示であって、本表示装置がそれに限定されるものではない。例示されていない無数の変形例が、本発明の範囲から外れることなく想定され得る。
【０１５２】
実施の形態は、相互に矛盾しない限り、互いに組み合わせて実施することができる。
【符号の説明】
【０１５３】
３０，３０Ａ，３０Ｂ  表示部
５０，５０Ａ，５０Ｂ  タッチパネル
１００，１００Ａ，１００Ｂ  表示装置
１２０，１２０Ａ，１２０Ｂ  モード設定部
１３０，１３０Ａ，１３０Ｂ  情報加工部
１４０，１４０Ａ，１４０Ｂ  情報送受信部
１５０，１５０Ａ，１５０Ｂ  表示制御部
【図１】
0006568702.tif 000002
【図２】
0006568702.tif 000003
【図３】
0006568702.tif 000004
【図４】
0006568702.tif 000005
【図５】
0006568702.tif 000006
【図６】
0006568702.tif 000007
【図７】
0006568702.tif 000008
【図８】
0006568702.tif 000009
【図９】
0006568702.tif 000010
【図１０】
0006568702.tif 000011
【図１１】
0006568702.tif 000012
【図１２】
0006568702.tif 000013
【図１３】
0006568702.tif 000014
【図１４】
0006568702.tif 000015
【図１５】
0006568702.tif 000016
【図１６】
0006568702.tif 000017
【図１７】
0006568702.tif 000018
【図１８】
0006568702.tif 000019
【図１９】
0006568702.tif 000020
【図２０】
0006568702.tif 000021
【図２１】
0006568702.tif 000022
【図２２】
0006568702.tif 000023
【図２３】
0006568702.tif 000024
【図２４】
0006568702.tif 000025
【図２５】
0006568702.tif 000026
【図２６】
0006568702.tif 000027